(57)【要約】【課題】訓練希望者の読書能力に応じて、効率よく読書速度を向上させることができる、速読訓練装置、速読訓練方法および速読訓練プログラムを提供する。【解決手段】速度計測部１０２は、表示画面１０１に評価用画像を表示するとともに、当該評価用画像に基づいてユーザの読書速度を計測する。訓練選択部１０３は、速度計測部１０２が計測した読書速度に基づいて、複数種の訓練内容からなる一連の速読訓練および当該一連の速読訓練に属する各訓練内容の訓練速度を選択する。そして、訓練実施部１０４は、訓練選択部１０３が選択した一連の速読訓練にしたがって各訓練内容に対応する訓練用画像を構成するとともに、当該訓練用画像を、各訓練内容に対応する上記訓練速度にしたがって表示画面１０１に表示する。【選択図】図１
2014044231.tif 000002
【特許請求の範囲】
【請求項１】
表示画面と、
前記表示画面に評価用画像を表示するとともに、当該評価用画像に基づいてユーザの読書速度を計測する速度計測部と、
前記速度計測部が計測した読書速度に基づいて、複数種の訓練内容からなる一連の速読訓練および当該一連の速読訓練に属する各訓練内容の訓練速度を選択する訓練選択部と、
前記訓練選択部が選択した一連の速読訓練にしたがって各訓練内容に対応する訓練用画像を構成するとともに、当該訓練用画像を、各訓練内容に対応する前記訓練速度にしたがって前記表示画面に表示する訓練実施部と、
を備える速読訓練装置。
【請求項２】
前記訓練選択部は、
前記速度計測部が計測した読書速度と同等以上の異なる少なくとも３種の訓練速度を選択するとともに、各訓練速度において実行する訓練内容を、文章および当該文章中を前記訓練速度にしたがって１文字ずつ移動する読書位置表示を含む訓練用画像を前記表示画面に表示するなぞり読み訓練、所定文字数の文字列からなる文章を含む訓練用画像を前記訓練速度にしたがって前記表示画面に表示する固定読み訓練、文章および当該文章中を前記訓練速度にしたがって複数文字からなる文字群ごとに移動する読書位置表示を含む訓練用画像を前記表示画面に表示する移動読み訓練、からなる群の中から前記速度計測部が計測した読書速度に応じて選択する、請求項１記載の速読訓練装置。
【請求項３】
前記訓練選択部は、前記訓練速度として、前記速度計測部が計測した読書速度と同等の読書速度である低速読書速度と、前記低速読書速度よりも速い読書速度である中速読書速度と、前記中速読書速度よりも速い読書速度である高速読書速度とを選択し、
前記低速読書速度、前記高速読書速度、前記中速読書速度の順で前記一連の速読訓練を構成する、請求項２記載の速読訓練装置。
【請求項４】
前記訓練実施部は、
前記訓練選択部により、前記低速読書速度、前記高速読書速度、前記中速読書速度の順で構成された第１の一連の速読訓練と、前記中速読書速度、前記高速読書速度よりも速い読書速度である超高速読書速度、前記高速読書速度の順で構成された第２の一連の速読訓練と、前記第１の一連の速読訓練と前記第２の一連の速読訓練との間で実施される、前記表示画面に複数の単語を含む訓練用画像を表示する、識幅拡大訓練および識力向上訓練とを、順に実行する、請求項３記載の速読訓練装置。
【請求項５】
評価用画像を表示画面に表示するとともに、当該評価用画像に基づいてユーザの読書速度を計測するステップと、
計測された読書速度に基づいて、複数種の訓練内容からなる一連の速読訓練および当該一連の速読訓練に属する各訓練内容の訓練速度を選択するステップと、
選択された一連の速読訓練にしたがって各訓練内容に対応する訓練用画像を構成するとともに、当該訓練用画像を、各訓練内容に対応する前記訓練速度にしたがって前記表示画面に表示するステップと、
を有する速読訓練方法。
【請求項６】
コンピュータに、
評価用画像を表示画面に表示するとともに、当該評価用画像に基づいてユーザの読書速度を計測する機能と、
計測された読書速度に基づいて、複数種の訓練内容からなる一連の速読訓練および当該一連の速読訓練に属する各訓練内容の訓練速度を選択する機能と、
選択された一連の速読訓練にしたがって各訓練内容に対応する訓練用画像を構成するとともに、当該訓練用画像を、各訓練内容に対応する前記訓練速度にしたがって前記表示画面に表示する機能と、
を実行させる速読訓練プログラム。
【発明の詳細な説明】
【技術分野】
【０００１】
本発明は、速読訓練装置、速読訓練方法および速読訓練プログラムに関する。
【背景技術】
【０００２】
従来、学力や業務効率を向上させるアプローチの１つとして、文章を早く読む技能である速読が提案されている。これは、読書速度を高めることで、例えば、問題文等の文書を読む時間を短縮することができ、当該時間短縮により創出された時間を解答等の他のことに割り当て、結果として、学力向上や業務効率の向上を実現するものである。
【０００３】
このような速読を達成するためには訓練が必要であり、この訓練手法として種々の手法が提案されている。
【０００４】
例えば、特許文献１は、種々の速読訓練を実施する教材を組み合わせた、速読訓練教材セットを開示している。すなわち、この技術では、各ページを順にめくることにより、視点が左右ページの上、中、下段の各点に移動するように、所定の文字、記号等を表示した速視力訓練教本と、ページをめくることにより、輪郭が拡大した文字、記号が順次各ページに表れるように表示した広角視野訓練教本と、各ページに複数個の記号を列状、かつ、複数列に亘って配列し、各ページを連続的にめくることにより所定時間内に各ページを視る速さを習得するようにした右脳視読訓練教本とを含む。
【０００５】
また、特許文献２では、パーソナルコンピュータのような情報処理装置を利用した、訓練手法も提案されている。この技術では、テキスト情報を構成する部分である部分テキストを、表示画面上に順次表示する構成を開示している。また、レベル情報（難易度）に応じて、表示画面上に表示する部分テキストの行数を変動させることを開示している。
【０００６】
また、特許文献３は、上記のような訓練をすることなく、表示画面への文章の表示方法を工夫することで、速読を実現している。この技術では、文書メモリに格納された文書情報からキーワードを抽出し、表示画面上で当該キーワードを着色して見やすくする。そして、検出されたユーザの視線がキーワード位置にあったかどうかを判定し、視線がその表示範囲になかったキーワードについては、そのキーワードを読み飛ばしたとして、そのキーワードについて輝度を上昇させて警告する構成を採用している。
【先行技術文献】
【特許文献】
【０００７】
【特許文献１】特開平０２−０５０１９０号公報
【特許文献２】特開２００６−２９３７８８号公報
【特許文献３】特開平１１−０２４５４９号公報
【発明の概要】
【発明が解決しようとする課題】
【０００８】
特許文献３が開示する技術では、速読の訓練をしていない者でも、読書速度のある程度の向上は期待できる。しかしながら、当該技術は、文書を文書メモリに格納できることが前提であり、書面に記載された文書に対して適用することはできない。近年、文書の電子データ化が進んではいるが、書面に記載された文書を読む必要性もまだまだ高いのが現実である。書面に記載された文書に対する速読は、速読の訓練を実施し、速読を身につけた者でなければ、実行することは困難である。
【０００９】
しかしながら、上述の特許文献１が開示する速読訓練法では、訓練を希望する者が教本のページを順次めくる構成であるため、訓練速度は訓練希望者のページめくり速度に依存する。すなわち、訓練速度には、物理的な上限があり、その上限を超える速度での訓練を実施することはできない。また、訓練希望者は、自身の読書速度に応じた速度で教本のページをめくりことも期待できるが、そのページめくり速度が、訓練希望者の読書速度を向上させるために適切な速度であるとは限らない。すなわち、速読訓練を実施しても、読書速度向上の効果が効率的に得られない可能性がある。
【００１０】
一方、特許文献２が開示する速読訓練法では、情報処理装置を使用しているため、訓練速度に、特許文献１が開示する技術のような上限はなく、人間が追従できないような速度での速読訓練も実施可能である。また、訓練の難易度に関する情報であるレベル情報も入力できる構成になっており、訓練希望者が希望する読書速度での訓練を実施することができる。しかしながら、訓練希望者が設定するレベル情報に対応する読書速度は、訓練希望者の読書速度を向上させるために適切な速度であるとは限らない。すなわち、特許文献２が開示する技術も、特許文献１が開示する技術と同様に、速読訓練を実施しても読書速度向上の効果が効率的に得られない可能性がある。
【００１１】
以上のように、従来提案されている速読訓練法は、訓練希望者の読書速度を効率よく向上させるという観点では、満足のできるものではなかった。
【００１２】
本発明は、このような従来技術の課題を鑑みてなされたものであり、訓練希望者の読書能力に応じて、効率よく読書速度を向上させることができる、速読訓練装置、速読訓練方法および速読訓練プログラムを提供することを目的とする。
【課題を解決するための手段】
【００１３】
上述の目的を達成するために、本発明に係る速読訓練装置は、以下の技術的手段を採用している。すなわち、本発明に係る速読訓練装置は、表示画面、速度計測部、訓練選択部および訓練実施部を備える。速度計測部は、表示画面に評価用画像を表示するとともに、当該評価用画像に基づいてユーザの読書速度を計測する。訓練選択部は、速度計測部が計測した読書速度に基づいて、複数種の訓練内容からなる一連の速読訓練および当該一連の速読訓練に属する各訓練内容の訓練速度を選択する。そして、訓練実施部は、訓練選択部が選択した一連の速読訓練にしたがって各訓練内容に対応する訓練用画像を構成するとともに、当該訓練用画像を、各訓練内容に対応する上記訓練速度にしたがって表示画面に表示する。
【００１４】
この速読訓練装置は、訓練開始時に測定した訓練希望者の読書速度に基づいて、訓練内容および訓練速度が決定される。そのため、訓練希望者の読書速度に応じた適切な速読訓練を実現することができる。また、この構成では、訓練開始時に測定した訓練希望者の読書速度に基づいて訓練内容および訓練速度が決定される構成であるため、例えば、訓練希望者が数日間訓練を実施することができず、読書能力が低下した場合や、適切な訓練を繰り返しても読書速度の向上が一時的に停滞している状態であっても、その時点の読書能力に応じた適切な訓練を実施することができる。
【００１５】
上記速読訓練装置において、訓練選択部は、速度計測部が計測した読書速度と同等以上の異なる少なくとも３種の訓練速度を選択するとともに、各訓練速度において実行する訓練内容を、なぞり読み訓練、固定読み訓練、移動読み訓練からなる群の中から速度計測部が計測した読書速度に応じて選択する構成を採用することができる。ここで、なぞり読み訓練は、文章および当該文章中を上記訓練速度にしたがって１文字ずつ移動する読書位置表示を含む訓練用画像を表示画面に表示することで実行される訓練である。固定読み訓練は、所定文字数の文字列からなる文章を含む訓練用画像を上記訓練速度にしたがって表示画面に表示することで実行される訓練である。移動読み訓練は、文章および当該文章中を上記訓練速度にしたがって複数文字からなる文字群ごとに移動する読書位置表示を含む訓練用画像を表示画面に表示することで実行される訓練である。
【００１６】
このように、訓練内容を、速度計測部が計測した読書速度に基づいて、なぞり読み訓練、固定読み訓練、移動読み訓練の中から１つ、あるいは適切な組み合わせで選択することで、訓練希望者に対し、訓練希望者の読書速度に応じた適切な速読訓練を実現することができる。
【００１７】
この構成において、訓練選択部は、訓練速度として、速度計測部が計測した読書速度と同等の読書速度である低速読書速度と、当該低速読書速度よりも速い読書速度である中速読書速度と、当該中速読書速度よりも速い読書速度である高速読書速度とを選択し、低速読書速度、高速読書速度、中速読書速度の順で上記一連の速読訓練を構成する態様を採用することができる。このように、一旦、読書速度を高めた訓練の後、読書速度を低下させた訓練を実施することで、低下した訓練速度が速度計測部により計測された読書速度よりも高速であるのも関わらず、ユーザは、その訓練を、比較的容易と感じながら実施することができる。
【００１８】
また、この構成において、訓練実施部は、訓練選択部により、低速読書速度、高速読書速度、中速読書速度の順で構成された第１の一連の速読訓練と、表示画面に複数の単語を含む訓練用画像を表示する、識幅拡大訓練および識力向上訓練と、中速読書速度、高速読書速度よりも速い読書速度である超高速読書速度、高速読書速度の順で構成された第２の一連の速読訓練とを順に実行する構成を採用することができる。
【００１９】
一方、他の観点では、本発明は、速読訓練方法を提供することができる。すなわち、本発明に係る速読訓練方法では、まず、評価用画像が表示画面に表示され、当該評価用画像に基づいてユーザの読書速度が計測される。次いで、計測された読書速度に基づいて、複数種の訓練内容からなる一連の速読訓練および当該一連の速読訓練に属する各訓練内容の訓練速度が選択される。そして、選択された一連の速読訓練にしたがって各訓練内容に対応する訓練用画像が構成され、当該訓練用画像が、各訓練内容に対応する上記訓練速度にしたがって表示画面に表示される。このような、速読訓練方法は、例えば、サーバクライアントシステム、ＡＳＰ（Application Service Provider）サービスやクラウドコンピューティングシステムとして実現することができる。
【００２０】
さらに他の観点では、本発明は、コンピュータにインストールすることにより、上述の速読訓練装置あるいは速読訓練方法を実現する速読訓練プログラムを提供することができる。
【発明の効果】
【００２１】
本発明によれば、訓練希望者の読書能力に応じた適切な速読訓練を実施でき、その結果、効率よく訓練希望者の読書速度を向上させることが可能になる。
【図面の簡単な説明】
【００２２】
【図１】本発明の一実施形態における速読訓練装置の一例を示す機能ブロック図
【図２】本発明の一実施形態における速読訓練装置の一例を示す概略構成図
【図３】本発明の一実施形態における速読訓練装置が実施する訓練手順の一例を示すフロー図
【図４】本発明の一実施形態における速読訓練装置の読書速度計測画面の一例を示す図
【図５】本発明の一実施形態における速読訓練装置の訓練内容を選択するための選択テーブルの一例を示す図
【図６】本発明の一実施形態における速読訓練装置の訓練内容の具体例を示す図
【図７】本発明の一実施形態における速読訓練装置の訓練内容の具体例を示す図
【図８】本発明の一実施形態における速読訓練装置の効果の一例を示す図
【図９】本発明の一実施形態における速読訓練装置の他の例を示す概略構成図
【発明を実施するための形態】
【００２３】
以下、本発明の一実施形態について、図面を参照しながらより詳細に説明する。以下では、まず、一台のコンピュータにより実現される速読訓練装置としてとして本発明を具体化するが、当該装置は、後述のように、複数台のコンピュータにより構成することも可能である。
【００２４】
図１は本実施形態における速読訓練装置１００の全体構成の一例を示す機能ブロック図である。また、図２は、速読訓練装置１００の概略構成図である。ここでは、一台の汎用コンピュータを利用して速読訓練装置１００を構成している。
【００２５】
図２に示すように、速読訓練装置１００はＣＰＵ（Central Processing Unit）２０１を備える。ＣＰＵ２０１は、内部バス２０６を介してＲＡＭ（Random Access Memory）２０２、ＲＯＭ（Read Only Memory）２０３およびＨＤＤ（Hard Disk Drive）２０４と接続されている。速読訓練装置１００が起動すると、ＣＰＵ２０１は、ＲＡＭ２０２上でＯＳ（Operating System）の一部または全部を動作させる。また、ＨＤＤ２０４には、各種プログラムが格納される。ＣＰＵ２０１は例えばＲＡＭ２０２を作業領域として利用し、上記ＯＳの指令に従ってＨＤＤ２０４から読み出した各種プログラムを実行することで図１に示した各手段として動作する。例えば、ＨＤＤ２０４から読み出された速読訓練プログラムをＣＰＵ２０１が実行することにより、速読訓練装置１００はユーザ（訓練希望者）に対して後述の速度計測部１０２、訓練選択部１０３、訓練実施部１０４等の機能を提供することができる。
【００２６】
また、内部バス２０６には、外部インターフェイス２０５も接続されている。外部インターフェイス２０５には、インターネット等の通信ネットワークとの接続を実現するネットワークインターフェイスや、他の機器との１対１の接続を実現するＵＳＢ（Universal Serial Bus）インターフェイス、赤外線通信インターフェイス等の各種のインターフェイスが含まれる。外部インターフェイス２０５を介した通信により、速読訓練装置１００は、外部機器とのデータの授受が可能となる。すなわち、外部記憶装置やＵＳＢメモリ等の外部記憶媒体に格納された速読訓練に使用される文章データ等は、外部インターフェイス２０５を介した通信によりＨＤＤ２０４に蓄積することができる。
【００２７】
続いて、以上の構成により実現される速読訓練装置１００を構成する各手段について説明する。図１に示すように、速読訓練装置１００は、表示画面１０１、速度計測部１０２、訓練選択部１０３、訓練実施部１０４、文章格納部１０５、訓練履歴記憶部１０６および入力部１０７を備える。なお、入力部１０７には、例えば、キーボード、マウス、ペンタブレット等、公知の任意の入力装置を使用することができる。
【００２８】
速度計測部１０２は、表示画面１０１に評価用画像を表示するとともに、当該評価用画像に基づいてユーザの読書速度を計測する。特に限定されないが、本実施形態では、速度計測部１０２は、訓練要素格納部１０５に格納されている文章データを読み出し、当該文章データを評価用画像として表示画面１０１に表示する。ここでは、ユーザが、入力部１０７を構成するキーボードの特定のキー（例えば、エンターキー）を押下すると、速度計測部１０２は読書完了を認識する。なお、評価用画像は複数頁にわたっていてもよい。この場合、例えば、ユーザが、入力部１０７を構成するマウスの特定のボタン（例えば、左ボタン）を押下すると、速度計測部１０２は次ページへの移行を認識する。
【００２９】
この構成では、速度計測部１０２は、表示画面１０１に評価用画像の表示を開始してから読書完了通知が入力されるまでの時間をユーザの読書時間として取得し、表示画面１０１に表示した文章の文字数（例えば、８００字）を読書時間で除算することで読書速度を算出する。なお、ユーザが速度計測部１０２に読書完了を通知する手法には任意の手法を採用することができる。例えば、キーボードの特定のキーに代えて、速度計測部１０２が、読書完了ボタンを文章とともに表示画面１０１に表示し、ユーザが入力部１０７（例えば、マウス）を用いて読書完了ボタンを選択することで、ユーザの読書完了が速度計測部１０２に通知されてもよい。
【００３０】
訓練選択部１０３は、速度計測部１０２が計測した読書速度に基づいて、複数種の訓練内容からなる一連の速読訓練および当該一連の速読訓練に属する各訓練内容の訓練速度を選択する。特に限定されないが、訓練選択部１０３は、速度計測部１０２が計測した読書速度と同等以上の異なる少なくとも３種の訓練速度を選択する。また、訓練選択部１０３は、各訓練速度において実行する訓練内容を、なぞり読み訓練、固定読み訓練、移動読み訓練からなる群の中から速度計測部１０２が計測した読書速度に応じて選択する。ここで、なぞり読み訓練は、文章および当該文章中を上記訓練速度にしたがって１文字ずつ移動する読書位置表示を含む訓練用画像を表示画面に表示することで実行される訓練である。固定読み訓練は、所定文字数の文字列からなる文章を含む訓練用画像を上記訓練速度にしたがって表示画面に表示することで実行される訓練である。移動読み訓練は、文章および当該文章中を上記訓練速度にしたがって複数文字からなる文字群ごとに移動する読書位置表示を含む訓練用画像を表示画面に表示することで実行される訓練である。
【００３１】
本実施形態では、訓練選択部１０３は、訓練速度として、速度計測部１０２が計測した読書速度と同等の読書速度である低速読書速度と、当該低速読書速度よりも速い読書速度である中速読書速度と、当該中速読書速度よりも速い読書速度である高速読書速度とを選択し、低速読書速度、高速読書速度、中速読書速度の順で第１の一連の速読訓練を構成する。また、訓練選択部１０３は、中速読書速度、高速読書速度よりも速い読書速度である超高速読書速度、高速読書速度の順で構成された第２の一連の速読訓練を構成する。
【００３２】
訓練実施部１０４は、訓練選択部１０３が選択した一連の速読訓練にしたがって各訓練内容に対応する訓練用画像を構成するとともに、当該訓練用画像を、各訓練内容に対応する上記訓練速度にしたがって表示画面に表示する。この訓練用画像は、訓練要素格納部１０５に格納されている文章データに基づいて構成される。すなわち、なぞり読み訓練の訓練用画像は、訓練要素格納部１０５に格納されている文章と当該文章中を訓練速度にしたがって１文字ずつ移動する読書位置表示を含む。固定読み訓練の訓練用画像は、訓練要素格納部１０５に格納されている所定文字数の文字列からなる文章を含む。移動読み訓練の訓練用画像は、訓練要素格納部１０５に格納されている文章と当該文章中を訓練速度にしたがって複数文字からなる文字群ごとに移動する読書位置表示を含む。
【００３３】
本実施形態では、訓練実施部１０４は、訓練選択部１０３により構成された第１の一連の速読訓練と、表示画面に複数の単語を含む訓練用画像を表示する、識幅拡大訓練および識力向上訓練と、訓練選択部１０３により構成された第２の一連の速読訓練とを順に実行する。
【００３４】
また、本実施形態では、速読訓練装置１００は訓練履歴記憶部１０６を備える。訓練履歴記憶部１０６には、訓練実施部１０４が実施した訓練内容および訓練速度とユーザを特定するための情報（ユーザＩＤ）を含む訓練履歴が記憶される。当該訓練履歴は、速度計測部１０２によって参照され、速度計測部１０２により取得されたユーザの読書速度が異常である場合には、測定された読書速度の正否のユーザへの問い合わせや再測定を実施するようになっている。
【００３５】
なお、本実施形態では、上述の訓練要素格納部１０５および訓練履歴記憶部１０６は、ＨＤＤ２０４により構成されている。上述のように、訓練要素格納部１０５には、外部インターフェイス２０５を介した通信により、速読訓練に使用される新たな文章データ等を蓄積することができる。
【００３６】
次いで、以上の構成を有する速読訓練装置１００における訓練手順について説明する。図３は、速読訓練装置１００が実施する訓練手順の一例を示すフロー図である。当該手順は、例えば、ユーザが速読訓練装置１００に速読訓練開始指示を入力したことをトリガとして開始する。なお、本実施形態では、速読訓練装置１００は、複数のユーザによって強要される構成になっている。そのため、ユーザは、速読訓練装置１００を使用する際に、ユーザＩＤ等の、ユーザを特定するための情報を入力する。このような、個人認証は公知の技術であるため、個々での説明は省略する。
【００３７】
当該手順が開始すると、まず、速度計測部１０２がユーザの読書速度を計測する（ステップＳ３０１）。図４は、このとき速度計測部１０２が表示画面１０１に表示する評価用画像を模式的に示す図である。なお、図中では、文字を四角で表現している。
【００３８】
図４に示すように評価用画像４０１は、文章により構成される。当該文章は、訓練要素格納部１０５に予め格納された文章であり、例えば、ユーザの指定した文章や速読訓練装置に予め入力されるユーザの年齢情報に基づいて速度計測部１０２により自動的に選択された文章等が使用される。上述のように、評価用画像が複数頁である場合は、入力部１０７を構成するマウスの左クリック操作等により頁送りされる。
【００３９】
ユーザは、表示画面１０１に表示された文章を読み、最後まで読めたときに入力部１０７を構成するキーボードの特定のキー（ここでは、エンターキー）を押下する。速度計測部１０２は、表示画面１０１に評価用画面の表示を開始したときから特定キー押下までの時間を読書時間として取得する。そして、表示画面１０１に表示した文章の文字数を読書時間で除算し、読書速度（字／分）を算出する。なお、読書速度の計測を開始するときには、速度計測部１０２が「３」、「２」、「１」のようなカウントダウンを表示画面１０１に表示することが好ましい。
【００４０】
読書速度を算出した速度計測部１０２は、訓練履歴記憶部１０６から読書速度を計測したユーザに対応する履歴を参照し、計測した読書速度の異常の有無を確認する（ステップＳ３０２）。ここでは、最新の履歴の訓練速度よりもきわめて速い（例えば、２倍以上速い）場合や、極めて遅い（例えば、半分以下）場合、速度計測部１０２は、取得した読書速度をユーザに提示し、当該読書速度が正常に計測されたものであるか否かを問い合わせる。
【００４１】
ユーザが異常なしと回答した場合、速度計測部１０２は取得した読書速度を訓練選択部１０３へ入力する（ステップＳ３０２Ｎｏ）。一方、ユーザが異常有と回答した場合、速度計測部１０２は、再度、読書速度の計測を開始する（ステップＳ３０２Ｙｅｓ、Ｓ３０１）。
【００４２】
速度計測部１０２から現在訓練中のユーザの読書速度が入力された訓練選択部１０３は、訓練内容および訓練速度を選択する（ステップＳ３０３）。特に限定されないが、本実施形態では、訓練選択部１０３には、当該選択を実施するためのテーブルが格納されており、訓練選択部１０３は、当該テーブルと入力された読書速度とに基づいて訓練内容を選択する。
【００４３】
図５は、訓練選択部１０３に予め格納された選択テーブルの一例を示す図である。上述のように、本実施形態では、訓練選択部１０３は、３種の訓練速度を選択し、各訓練速度により実行する訓練内容（すなわち、一番目から三番目までの訓練内容）をなぞり読み、固定読み、移動読みの中から選択する。図５の例では、読書速度が６３０字／分未満であった場合、一番目から三番目までの全訓練内容としてなぞり読みを選択する。読書速度が６３０字／分以上１３５０字／分未満であった場合、一番目と三番目の訓練内容としてなぞり読みを選択し、二番目の訓練内容として固定読みを選択する。読書速度が１３５０字／分以上２２５０字／分未満であった場合、一番目の訓練内容としてなぞり読みを選択し、二番目の訓練内容として固定読みを選択し、三番目の訓練内容として移動読みを選択する。読書速度が２２５０字／分以上１６２００字／分未満であった場合、一番目と三番目の訓練内容として移動読みを選択し、二番目の訓練内容として固定読みを選択する。読書速度が１６２００字／分以上３０６００字／分未満であった場合、一番目の訓練内容として移動読みを選択し、二番目と三番目の訓練内容として固定読みを選択する。読書速度が３０６００字／分以上であった場合、一番目から三番目までの全訓練内容として固定読みを選択する。
【００４４】
なお、図５に示すテーブルは、一般に、なぞり読みにより到達することができる最大の読書速度が２０００〜３０００字／分であり、これ以上の読書速度を実現するためには、複数の文字からなる文字列単位で文章を読む必要があることに基づいて設定されている。すなわち、高速読書速度（二番目の訓練）における読書速度が２０００字／分程度になると、文字列単位で文章を読むための必須のスキルである、固定読みを習得する訓練を開始する。そして、中速読書速度（三番目の訓練）における読書速度が、なぞり読みにより到達できる最大の読書速度である３０００字／分程度になると、固定読みを使用した読書（移動読み）を習得する訓練を開始する。
【００４５】
また、訓練選択部１０３が選択する３種の訓練速度は、上述のように、第１の一連の速読訓練が、低速読書速度、高速読書速度、中速読書速度であり、第２の一連の速読訓練が、中速読書速度、超高速読書速度、高速読書速度である。本実施形態では、低速読書速度が速度計測部１０２により取得された読書速度と同等の読書速度であり、中速読書速度が低速読書速度の２倍程度の読書速度である。また、高速読書速度は中速読書速度の２倍程度の読書速度であり、超高速読書速度は高速読書速度の２倍程度の読書速度である。ユーザにとって、その時点での読書速度の４倍に相当する高速読書速度での訓練は訓練負荷が高く、その時点での読書速度の２倍に相当する中速読書速度での訓練の方が読書速度を向上させる訓練負荷としては適切である。しかしながら、このように、一旦高負荷にした後、適切な負荷での訓練を実施するように構成することで、ユーザは、より適切な訓練負荷による訓練を、比較的容易に実施することができる。
【００４６】
例えば、速度計測部１０２が取得した読書速度が３６０字／分であった場合、訓練選択部１０３は、第１の一連の速読訓練として、一番目の訓練を３６０字／分（低速読書速度）のなぞり読み、二番目の訓練を１２９６字／分（高速読書速度）のなぞり読み、三番目の訓練を６８４字／分（中速読書速度）のなぞり読みをそれぞれ選択する。また、第２の一連の速読訓練として、一番目の訓練を６８４字／分（中速読書速度）のなぞり読み、二番目の訓練を２３４０字／分（超高速読書速度）のなぞり読み、三番目の訓練を１２９６字／分（高速読書速度）のなぞり読みをそれぞれ選択する。
【００４７】
また、速度計測部１０２が取得した読書速度が２７００字／分であった場合、訓練選択部１０３は、第１の一連の速読訓練として、一番目の訓練を２７００字／分（低速読書速度）の移動読み、二番目の訓練を９７２０字／分（高速読書速度）の固定読み、三番目の訓練を５１３０字／分（中速読書速度）の移動読みをそれぞれ選択する。また、第２の一連の速読訓練として、一番目の訓練を５１３０字／分（中速読書速度）の移動読み、二番目の訓練を１７５５０字／分（超高速読書速度）の固定読み、三番目の訓練を９７２０字／分（高速読書速度）の移動読みをそれぞれ選択する。
【００４８】
なお、この例では、低速読書速度の１．９倍が中速読書速度、中速読書速度の約１．９倍が高速読書速度、高速読書速度の約１．８倍が超高速読書速度になっている。
【００４９】
以上のようにして訓練内容および訓練速度を選択した訓練選択部１０３は、選択した訓練内容および訓練速度と、速度計測部１０２により取得された読書速度を訓練実施部１０４に通知する。当該通知を受けた訓練実施部１０４は、通知された内容に従って訓練用画像を構成し、当該訓練用画像を表示画面１０１に表示することで訓練を実施する（ステップＳ３０４）。本実施形態では、訓練実施部１０４は、まず、訓練選択部１０３が選択した第１の一連の速読訓練を実施する。次いで、表示画面１０１に複数の単語を含む訓練用画像を表示する識幅拡大訓練および識力向上訓練を実施する。続いて、訓練選択部１０３が選択した第２の一連の速読訓練を実施する。
【００５０】
図６は、速読訓練装置１００が表示画面１０１に表示する訓練用画像の一例を示す図である。図６（ａ）は、なぞり読みの訓練用画像である。図６（ｂ）は、固定読みの訓練用画像である。図６（ｃ）は、移動読みの訓練用画像である。なお、図６（ａ）、図６（ｃ）では、表示画面１０１に表示される訓練用画像の一部のみを示している。
【００５１】
図６（ａ）に示すように、なぞり読みの訓練用画像は、文章および当該文章中を訓練速度にしたがって１文字ずつ移動する読書位置表示を含む。この例では、まず、文章の最初の文字が強調表示され、次いで、後続の１文字が強調表示される。このような、直前の１文字が強調表示されてから次の１文字が強調表示されるまでの時間が、訓練速度によって規定される。例えば、訓練速度が３６０字／分である場合、直前の１字が強調表示されてから次の１字が強調表示されるまでの時間は、６０秒／３６０字≒０．１７秒になる。
【００５２】
強調表示の方法は任意である。細字を太字に変更する強調表示や、黒字を赤字に変更する強調表示、画像の背景色（例えば、黒）に近い色（濃いグレー）から背景色と異なる色（例えば、白）に変更する強調表示等、任意の方法を採用することができる。
【００５３】
図６（ｂ）に示すように、固定読みの訓練用画像６０１は、所定文字数の文字列からなる文章を含む。この例では、２０字の文字列からなる文章が表示画面１０１の中央に表示されている。このような、直前の文字列が表示されてから次の文字列が表示されるまでの時間が、訓練速度によって規定される。例えば、訓練速度が９７２０字／分、文字数が２０文字である場合、直前の文字列が表示されてから次の文字列が表示されるまでの時間は、６０秒／９７２０字＊２０字≒０．１２秒になる。
【００５４】
図６（ｃ）に示すように、移動読みの訓練用画像は、文章および当該文章中を訓練速度にしたがって複数文字からなる文字群ごとに移動する読書位置表示を含む。この例では、まず、文章の最初の８文字が強調表示され、次いで、後続の８文字が強調表示される。このような、直前の文字列が強調表示されてから次の文字列が強調表示されるまでの時間が、訓練速度によって規定される。例えば、訓練速度が２７００字／分、文字数が８文字である場合、直前の文字列が表示されてから次の文字列が表示されるまでの時間は、６０秒／２７００字＊８字≒０．１７秒になる。
【００５５】
強調表示の方法は任意である。細字を太字に変更する強調表示や、黒字を赤字に変更する強調表示、画像の背景色（例えば、黒）に近い色（濃いグレー）から背景色と異なる色（例えば、白）に変更する強調表示等、任意の方法を採用することができる。
【００５６】
なお、上述の訓練用画像に含まれる文章は、評価用画像と同様に、訓練要素格納部１０５に予め格納された文章であり、例えば、ユーザの指定した文章や速読訓練装置に予め入力されるユーザの年齢情報に基づいて速度計測部１０２により自動的に選択された文章等が使用される。
【００５７】
ここで、訓練実施部１０４が、第１の一連の速読訓練と第２の一連の速読訓練との間に実施する、識幅拡大訓練および識力向上訓練について説明する。図７は、速読訓練装置１００が表示画面１０１に表示する識幅拡大訓練および識力向上訓練の訓練用画像の一例を示す図である。図７（ａ）は識幅拡大訓練の訓練用画像であり、図７（ｂ）は識力向上訓練の訓練用画像である。
【００５８】
図７（ａ）に示すように、識幅拡大訓練の訓練用画像７０１は、表示画面１０１内で散らばって配置された複数の単語を含む。訓練実施部１０４は、内容の異なる複数の訓練用画像７０１を一定の時間間隔（例えば、０．１秒）で切り替えることにより、識幅拡大訓練を実施する。本実施形態では、速度計測部１０２により取得された読書速度に応じて１〜１４単語の間で表示画面１０１に表示される単語数を変更する構成になっている。また、訓練実施部１０４は、一連の速読訓練と同様、速度計測部１０２により取得された読書速度に応じて３種の異なる単語数を選択し、一番目の識幅拡大訓練は最小の単語数、二番目の識幅拡大訓練は最大の単語数、三番目の識幅拡大訓練は中間の単語数で一連の識幅拡大訓練を実施する。当該訓練により、ユーザは、複数の単語を認識できる表示領域を広げる（視野拡大）ことが可能になる。
【００５９】
例えば、速度計測部１０２が取得した読書速度が３６０字／分であった場合、訓練実施部１０４は、一番目の識幅拡大訓練の単語数を２、二番目の識幅拡大訓練の単語数を４、三番目の識幅拡大訓練の単語数を３にする。また、速度計測部１０２が取得した読書速度が２７００字／分であった場合、訓練実施部１０４は、一番目の識幅拡大訓練の単語数を４、二番目の識幅拡大訓練の単語数を６、三番目の識幅拡大訓練の単語数を５にする。
【００６０】
また、図７（ｂ）に示すように、識力向上訓練の訓練用画像７０２は、表示画面１０１内で配置された複数の単語を含む。訓練実施部１０４は、内容の異なる複数の訓練用画像７０２を一定の時間間隔で切り替えることにより、識力向上訓練を実施する。本実施形態では、速度計測部１０２により取得された読書速度に応じて２〜１１単語の間で表示画面１０１に表示される単語数を変更する構成になっている。また、訓練実施部１０４は、識幅拡大訓練についても、異なる訓練難易度の複数の識力向上訓練からなる一連の識力向上訓練を実施する。当該訓練により、ユーザは、複数の単語を認識する速度を高めることが可能になる。
【００６１】
例えば、速度計測部１０２が取得した読書速度が３６０字／分であった場合、訓練実施部１０４は、単語数を３にする。また、速度計測部１０２が取得した読書速度が２７００字／分であった場合、訓練実施部１０４は単語数を５にする。また、訓練実施部１０４は、速度計測部１０２により取得された読書速度に応じて単語数を選択した上で、画面切り替え時間間隔を、一番目の識力向上訓練を０．５秒間隔、二番目の識力向上訓練を０．１秒間隔、三番目の識力向上訓練を０．３秒間隔のそれぞれに設定して一連の識力向上訓練を実施する。
【００６２】
なお、訓練実施部１０４は、第１の一連の速読訓練、一連の識幅拡大訓練、一連の識力向上訓練、第２の一連の速読訓練のそれぞれの訓練時間を、訓練開始時に指定された総訓練時間に応じて決定する。例えば、総訓練時間が５分であった場合、訓練実施部１０４は、第１および第２の一連の速読訓練の各訓練を３０秒に設定し、一連の識幅拡大訓練および一連の識力向上訓練における一番目と三番目の訓練を１５秒、二番目の訓練を３０秒に設定する。また、総訓練時間が２５分であった場合、訓練実施部１０４は、第１および第２の一連の速読訓練における一番目と三番目の訓練を３０秒、二番目の訓練を５４０秒に設定し、一連の識幅拡大訓練における一番目と三番目の訓練を３０秒、二番目の訓練を９０秒に設定し、一連の識力向上訓練における一番目の訓練を１５秒、二番目の訓練を９０秒、三番目の訓練を６０秒に設定する。
【００６３】
第１の一連の速読訓練、一連の識幅拡大訓練、一連の識力向上訓練、第２の一連の速読訓練を実施した訓練実施部１０４は、実施した訓練内容および訓練速度を、ユーザを特定するための情報とともに、訓練履歴記憶部１０６に格納する（ステップＳ３０５）。
【００６４】
以上説明したように、この速読訓練装置１００は、訓練開始時に測定したユーザの読書速度に基づいて、訓練内容および訓練速度が決定される。そのため、ユーザの読書速度に応じた適切な速読訓練を実現することができる。また、この構成では、訓練回数や特定時点での到達度チェック結果に応じて訓練レベル（訓練難易度）を上昇させる構成ではなく、訓練開始時に測定したユーザの読書速度に基づいて訓練内容および訓練速度が決定される構成であるため、例えば、ユーザが数日間訓練を実施することができず、読書能力が低下した場合や、適切な訓練を繰り返しても読書速度の向上が一時的に停滞している状態であっても、その時点でのユーザの読書能力に応じた適切な訓練を実施することができる。
【００６５】
また、速読訓練装置１００は、訓練内容を、速度計測部１０２が計測した読書速度に基づいて、なぞり読み訓練、固定読み訓練、移動読み訓練の中から１つ、あるいは適切な組み合わせで選択することで、ユーザに対し、ユーザの読書能力に応じた、ユーザの読書速度を向上させる適切な速読訓練を実現することができる。
【００６６】
さらに、速読訓練装置１００は、各訓練を、低レベル、高レベル、中レベルの順で難易度を変動させ、一旦、難易度を高めた後、読書速度の向上に適切な中レベルの難易度の訓練を実施するため、ユーザは、中レベルの訓練を、比較的容易と感じながら実施することができる。
【００６７】
加えて、速読訓練装置１００は、第１の一連の速読訓練の後、識幅拡大訓練および識力向上訓練を実施し、その後に第１の一連の速読訓練よりも難易度の高い第２の一連の速読訓練を実施する構成であるため、ユーザは、第２の一連の速読訓練において最後に実施される高レベルの訓練も、比較的容易と感じながら実施することができる。
【００６８】
図８は、以上説明した速読訓練法を適用した場合の読書速度効果の一例を示すヒストグラムである。図８において横軸は個々のユーザに対応し、縦軸は読書速度向上率に対応する。この例では、各ユーザは、上述の速読訓練を５０回以上実施している。なお、読書速度向上率とは、最後の１０回の速読訓練において速度計測部１０２が計測した読書速度の平均値を、最初の１０回の速読訓練において速度計測部１０２が計測した読書速度の平均値で除算値を百分率で表現したものである。図８から理解できるように、いずれのユーザも読書速度の向上が確認できる。
【００６９】
ところで、上述の実施形態では、一台のコンピュータにより実現される構成について説明したが、本発明に係る速読訓練装置は複数台のコンピュータにより構成することも可能である。図９は、ネットワークを介して接続された２台のコンピュータにより構成した速読訓練システムの一例を示す機能ブロック図である。なお、図９において、図１に示す速読訓練装置１００と同一の作用効果を奏する要素には同一の符号を付し、以下での詳細な説明は省略する。
【００７０】
図９に示すように、速読訓練システム９００は、ユーザが操作するクライアント装置９１０およびクライアント装置９１０に対してサービスを提供するサーバ装置９２０を備える。クライアント装置９１０とサーバ装置９２０とは異なる場所に設置されており、両者はネットワーク９３０によりデータの授受が可能な状態で相互に接続されている。例えば、クライアント装置９１０は、ユーザが所有するパーソナルコンピュータである。また、サーバ装置９２０は、速読訓練のサービス提供者が管理するサーバ装置である。
【００７１】
クライアント装置９１０は、上述の表示画面１０１、入力部１０７および表示制御部９１２を備える。表示制御部９１２は、表示画面１０１の表示を制御する。表示制御部９１２は、ネットワークインターフェイス９１１を介してインターネット等のネットワーク９３０に接続されており、ネットワークインターフェイス９１１を介して入力された情報を表示画面に表示する。
【００７２】
また、サーバ装置９２０は、プログラムを実行することにより構成される速度計測部１０２、訓練選択部１０３および訓練実施部１０４を備えるとともに、ＨＤＤ等の記憶装置により構成される、訓練要素格納部１０５および訓練履歴記憶部１０６を備える。サーバ装置９２０は、ネットワークインターフェイス９２１を介してネットワーク９３０に接続されている。なお、クライアント装置９１０とサーバ装置９２０との通信は、例えば、ブラウザを介して行うことができる。
【００７３】
この構成では、ユーザが操作するクライアント装置９１０が備える表示画面１０１に対して、サーバ装置９２０が備える速度計測部１０２、訓練選択部１０３および訓練実施部１０４の各手段が上述の評価用画像や訓練用画像を、例えば、ブラウザを介して表示する。ユーザは、クライアント装置９１０の表示画面１０１に表示される評価用画像や訓練用画像により速読訓練を実施することができる。
【００７４】
この構成では、クライアント装置９１０に、速度計測部１０２、訓練選択部１０３、訓練実施部１０４として機能するプログラムをインストールして実行する必要がなく、ユーザは、サーバ装置９２０に接続可能な任意の汎用コンピュータにより上述の速読訓練を実施することができる。
【００７５】
なお、この例では、サーバ装置９２０を、速度計測部１０２として機能するプログラム、訓練選択部１０３として機能するプログラム、あるいは訓練実施部１０４として機能するプログラムを実行する単一のコンピュータとして構成したが、これらのプログラムは複数のコンピュータで分散して処理するようにしてもよい。すなわち、サーバ装置９２０は、複数台のコンピュータや、複数台のコンピュータにわたって配置された仮想サーバ（いわゆる、クラウドコンピューティングシステム）により構成することもできる。
【００７６】
また、この例では、サーバ装置９２０が速度計測部１０２、訓練選択部１０３および訓練実施部１０４を備える構成としたが、サーバ装置９２０が訓練選択部１０３および訓練実施部１０４を備え、速度計測部１０２がクライアント装置９１０を備える構成とすることもできる。すなわち、速読訓練システムを構成する各手段は、協働して上述の作用効果を奏する限りにおいて、適宜、別体で構成され、ネットワーク等を通じて接続された任意構成のシステムとして実現することができる。
【００７７】
さらに、この例では、サーバ装置９２０において、速度計測部１０２として機能するプログラム、訓練選択部１０３として機能するプログラム、あるいは訓練実施部１０４として機能するプログラムを実行する構成としているが、当該プログラムの一部または全部がクライアント装置９１０にダウンロードされ、クライアント装置９１０において実行されてもよい。
【００７８】
なお、上述した各実施形態は本発明の技術的範囲を制限するものではなく既に記載したもの以外でも、本発明の範囲内で種々の変形や応用が可能である。例えば、上記では、特に好ましい形態として、第１の一連の速読訓練、一連の識幅拡大訓練、一連の識力向上訓練、第２の一連の速読訓練を実施する速読訓練装置を例示した。しかしながら、少なくとも一連の速読訓練を実施する速読訓練装置であれば、その時点でのユーザの読書能力に応じた適切な訓練を実施するという効果を得ることができる。なお、当該一連の速読訓練において、訓練速度は、少なくとも３種であることが好ましく、さらに、難易度を、低レベル、高レベル、中レベルの順で実施することがより好ましいが、他の態様を排除するものではない。また、訓練内容も、なぞり読み訓練、固定読み訓練、移動読み訓練から選択されることが好ましいが、他の訓練の使用を排除するものではない。
【００７９】
また、本発明の速読訓練対象の言語は、日本語に限らず、英語、中国語等、任意の言語を採用することができる。
【００８０】
加えて、上述の実施形態では、速読訓練装置または速読訓練システムとして本発明を説明したが、上述の作用効果は、コンピュータにおいて実行されることにより速読訓練装置や速読訓練システムとして機能する速読訓練プログラムによっても得ることができる。
【００８１】
そして、このような速読訓練プログラムは、インターネットなどの電気通信回線を用いたり、コンピュータ読み取り可能な記録媒体に格納したりすることで、関係者や第三者に提供することができる。例えばプログラムの指令を電気信号や光信号、磁気信号などで表現し、その信号を搬送波に載せて送信することで、同軸ケーブルや銅線、光ファイバのような伝送媒体でそのプログラムを提供することができる。また、コンピュータ読取可能な記録媒体としては、ＣＤ−ＲＯＭやＤＶＤ−ＲＯＭなどの光学メディアや、フレキシブルディスクのような磁気メディア、フラッシュメモリやＲＡＭのような半導体メモリを利用することができる。
【産業上の利用可能性】
【００８２】
本発明によれば、訓練希望者の読書能力に応じて、効率よく読書速度を向上させることができ、速読訓練装置、速読訓練方法および速読訓練プログラムとして有用である。
【符号の説明】
【００８３】
１００、９００  速読訓練装置
１０１  表示画面
１０２  速度計測部
１０３  訓練選択部
１０４  訓練実施部
１０５  訓練要素格納部
１０６  訓練履歴記憶部
１０７  入力部
【図１】
2014044231.tif 000003
【図２】
2014044231.tif 000004
【図３】
2014044231.tif 000005
【図４】
2014044231.tif 000006
【図５】
2014044231.tif 000007
【図６】
2014044231.tif 000008
【図７】
2014044231.tif 000009
【図８】
2014044231.tif 000010
【図９】
2014044231.tif 000011